(57)【要約】【課題】アプリケーションソフト及びオペレーティングシステムでの音声再生に最適な音声パラメータを設定・管理することができ、音声パラメータ設定機能を動作させる回数を最小限にする。【解決手段】本発明のアプリケーションソフトの音声パラメータ管理方法は、オペレーティングシステムのもとで使用するアプリケーションソフトの音声パラメータ管理方法であって、アプリケーションソフトの起動時にオペレーティングシステムが設定している起動時音声パラメータを記憶し、起動時音声パラメータにかかわらず、アプリケーションソフトが前回動作を終了したときの終了時音声パラメータに従って音声データ再生機能を動作させ、アプリケーションソフトの終了時に、その時点の音声パラメータをアプリケーションソフトの終了時音声パラメータとして記憶すると共に、起動時音声パラメータに設定を戻して音声データ再生機能を動作させることを特徴とする。【選択図】        図１
2004287474.tif 000002
【特許請求の範囲】
【請求項１】
オペレーティングシステムのもとで使用する、音声パラメータ管理機能を有する音声の記録及び／又は再生アプリケーションソフトや音声パラメータ管理機能を有し音声データファイルを管理するアプリケーションソフトの音声パラメータ管理方法であって、
音声パラメータは、音量値とミュートＯＮ／ＯＦＦ情報のうち、少なくとも一つのパラメータを含み、
前記アプリケーションソフトの起動時に、前記起動時における前記オペレーティングシステムが設定している起動時音声パラメータを記憶し、前記起動時音声パラメータにかかわらず、前記アプリケーションソフトが前回動作を終了したときの終了時音声パラメータに従って音声データ再生機能を動作させ、
前記アプリケーションソフトの終了時に、その時点の音声パラメータを前記アプリケーションソフトの前記終了時音声パラメータとして記憶すると共に、前記終了時音声パラメータから、前記アプリケーションソフトの起動時前に前記オペレーティングシステムに設定されていた前記起動時音声パラメータに設定を戻して、前記起動時音声パラメータに従って音声データ再生機能を動作させることを特徴とするアプリケーションソフトの音声パラメータ管理方法。
【請求項２】
前記音声パラメータが、音量左右バランス値を更に含むことを特徴とする請求項１に記載のアプリケーションソフトの音声パラメータ管理方法。
【請求項３】
前記終了時音声パラメータ及び／又は起動時音声パラメータとして複数世代分の音声パラメータを記憶し、前記アプリケーションソフトの起動時及び／又は終了時にユーザが一つの音声パラメータを選択することを特徴とする請求項１に記載のアプリケーションソフトの音声パラメータ管理方法。
【請求項４】
前記アプリケーションソフト起動時に、ユーザが選択した前記終了時音声パラメータ及び予め設定されたデフォルト音声パラメータのいずれか一つに従って前記音声データ再生機能を動作させることを特徴とする請求項１に記載のアプリケーションソフトの音声パラメータ管理方法。
【請求項５】
前記アプリケーションソフト終了時に、ユーザが選択した前記起動時音声パラメータ及び予め設定されたデフォルト音声パラメータのいずれか一つに従って前記音声データ再生機能を動作させることを特徴とする請求項１に記載のアプリケーションソフトの音声パラメータ管理方法。
【請求項６】
音声パラメータ管理機能を有する音声の記録及び／又は再生アプリケーションソフトや音声パラメータ管理機能を有し音声データファイルを管理するアプリケーションソフトの音声パラメータ管理方法のプログラムであって、
音声パラメータは、音量値とミュートＯＮ／ＯＦＦ情報のうち、少なくとも一つのパラメータを含み、
前記アプリケーションソフトによる動作時にユーザが音声パラメータの設定を切り替えることに対応してオペレーティングシステムに設定される音声パラメータと連動して動作時音声パラメータを設定する動作時音声パラメータ設定部と、
前記アプリケーションソフト起動時に前記オペレーティングシステムに設定されていた音声パラメータを記憶する起動時音声パラメータ記憶部と、
前記アプリケーションソフトの終了時にその時点の前記アプリケーションソフトの動作時音声パラメータを記憶する終了時音声パラメータ記憶部と、
を備えるように、前記オペレーティングシステムのもとで動作する装置を機能させることを特徴とするアプリケーションソフトの音声パラメータ管理方法のプログラム。
【請求項７】
前記音声パラメータが、音量左右バランス値を更に含むことを特徴とする請求項６に記載のアプリケーションソフトの音声パラメータ管理方法のプログラム。
【請求項８】
前記終了時音声パラメータ記憶部及び／又は起動時音声パラメータ記憶部に、前記ユーザが選択可能な複数のデフォルト音声パラメータを更に記憶することを特徴とする請求項６に記載のアプリケーションソフトの音声パラメータ管理方法のプログラム。
【請求項９】
請求項６に記載のアプリケーションソフトである第１のアプリケーションソフトのプログラムをインストールしてその動作を実行するオペレーティングシステムを有する音響再生装置であって、
前記オペレーティングシステムは、前記第１のアプリケーションソフトのプログラムをインストールするインストール部と、
音声パラメータの変更に対応して音響再生出力の音声パラメータが設定される出力音声パラメータ設定部と、を備え、
前記第１のアプリケーションソフトの起動時には、前記第１のアプリケーションソフトの前記起動時音声パラメータ記憶部に前記出力音声パラメータ設定部に設定している音声パラメータを保存すると共に、前記第１のアプリケーションソフトの前記終了時音声パラメータ記憶部に記憶している音声パラメータを読み取りその値を動作時音声パラメータ設定部に設定して起動し、
前記第１のアプリケーションソフトの動作時は、前記第１のアプリケーションソフトの前記動作時音声パラメータ設定部の音声パラメータを前記出力音声パラメータ設定部の音声パラメータと連動させながら音声を再生し、
前記第１のアプリケーションソフトの終了時には、前記動作時音声パラメータ設定部に設定されている音声パラメータを前記終了時音声パラメータ記憶部に保存すると共に、前記第１のアプリケーションソフトの前記起動時音声パラメータ記憶部に設定している音声パラメータを読み取り、その音声パラメータに、前記オペレーティングシステムの出力音声パラメータ設定部の音声パラメータを戻して保存するように構成したことを特徴とする音響再生装置。
【請求項１０】
前記音声パラメータが、音量左右バランス値を更に含むことを特徴とする請求項９に記載の音響再生装置。
【請求項１１】
前記第１のアプリケーションソフトは、前記終了時音声パラメータ記憶部及び／又は起動時音声パラメータ記憶部に複数世代分の音声パラメータを記憶し、前記第１のアプリケーションソフトの起動時及び／又は終了時にユーザが一つの音声パラメータを選択するように構成したことを特徴とする請求項９に記載の音響再生装置。
【請求項１２】
前記第１のアプリケーションソフトと、前記終了時音声パラメータ記憶部と前記起動時音声パラメータ記憶部とを有しないアプリケーションソフトである第２のアプリケーションソフトのプログラムと、をインストールしてその動作を選択的に実行するオペレーティングシステムを有する音響再生装置であって、
前記インストール部は、前記第１及び第２のアプリケーションソフトのプログラムをインストールし、
前記第２のアプリケーションソフトの起動時及び動作時には、前記第２のアプリケーションソフトの音声パラメータは、前記オペレーティングシステムの出力音声パラメータ設定部の音声パラメータに連動し、前記第２のアプリケーションソフトの終了時には、前記動作時音声パラメータ設定部に設定されている音声パラメータを保持するように構成したことを特徴とする請求項９に記載の音響再生装置。
【請求項１３】
前記第１のアプリケーションソフトは、前記終了時音声パラメータ記憶部及び／又は起動時音声パラメータ記憶部に複数の音声パラメータを記憶し、前記第１のアプリケーションソフトの起動時及び／又は終了時にユーザが一つの音声パラメータを選択するように構成したことを特徴とする請求項９に記載の音響再生装置。
【請求項１４】
複数の前記第１のアプリケーションソフトのプログラムをインストールしており、
前記第１のアプリケーションソフトが、それぞれ別個の前記終了時音声パラメータ記憶部を有することを特徴とする請求項９に記載の音響再生装置。
【請求項１５】
前記第１のアプリケーションソフトが、それぞれ別個の前記起動時音声パラメータ記憶部を有することを特徴とする請求項１４に記載の音響再生装置。
【発明の詳細な説明】
【０００１】
【発明の属する技術分野】
本発明は、音響再生装置、アプリケーションソフトの音声パラメータ管理方法及びそのプログラムに関する。
【０００２】
【従来の技術】
音楽記録・再生アプリケーションソフトや音声ファイルを管理するアプリケーションソフトは、出力音声の音量値、ミュートＯＮ／ＯＦＦ及びステレオの左右の出力バランスなどの制御パラメータ（以下、「音声パラメータ」と言う）を調整する機能を有することが多い。
従来、オペレーティングシステムのもとで、音声パラメータ管理機能を有する音声の記録及び／又は再生アプリケーションソフトや音声パラメータ管理機能を有し音声データファイルを管理するアプリケーションソフトを使用する場合、オペレーティングシステムに設定された１組の値の音声パラメータで音声が出力された。
しかし、アプリケーションソフトにより、最適の音声パラメータの値が異なる場合も多い。ユーザは、使用するアプリケーションソフトを切り換える毎に、音声パラメータを最適の値に設定する必要があった。
【０００３】
特開２００１−４３０６２号公報及び特開２００１−２５６０４１号公報に、アプリケーションソフトをコンピュータにインストールして使用する場合に、アプリケーションソフトが動作する時の音量値及び左右の音量バランスを、ユーザがアプリケーションソフト毎に登録する従来例１及び従来例２のコンピュータが開示されている。従来例１及び従来例２のコンピュータは、登録された音声パラメータで音声データを再生する。
【０００４】
【特許文献１】
特開２００１−４３０６２号公報
【特許文献２】
特開２００１−２５６０４１号公報
【０００５】
【発明が解決しようとする課題】
しかしながら従来例のコンピュータにおいては、ユーザがアプリケーションソフト毎に音声パラメータの値を登録する必要があった。
従来例１のパーソナルコンピュータ（特開２００１−４３０６２号公報）は、アプリケーションソフト毎に設定された音量調整係数を記憶する。ユーザが音量調整ボリュームを回すと、パーソナルコンピュータは音声データと、音量調整係数と、音量調整ボリュームの音量値とを掛けた値の音声を出力する。ユーザは、画面表示されたボリューム調整機能に従って、アプリケーションソフト毎に音量調整係数を登録する（図２のＳ１１）。
従来例２のコンピュータ（特開２００１−２５６０４１号公報）は、ユーザが音量調整ボリュームを回すと、新しい音量値を登録するか否かの判断をユーザに要求する画面をディスプレイに表示する。ユーザが登録をコンピュータに指示すると、新しい音量値が登録される（図５のステップ１７０〜１８２）。
【０００６】
一般にユーザは音声パラメータの登録作業を煩わしいと感じる。ユーザが音声パラメータを登録しなければ、全てのアプリケーションソフトにおいて同一の音声パラメータで音声が出力される故、ユーザは満足できない。一旦音声パラメータを登録した後、ユーザが音声パラメータの値を変更することを望む場合も多い。従来例のコンピュータは、ユーザに特別な登録作業を課すという問題があった。
本発明は、ユーザが特別な音声パラメータの登録作業をすることなく、アプリケーションソフト毎にユーザが調節した適切な音声パラメータの値を自動的に登録する音響再生装置、アプリケーションソフトの音声パラメータ管理方法及びそのプログラムを提供することを目的とする。
【０００７】
従来例１のパーソナルコンピュータにおいては、音量調整ボリュームの設定を一定にした場合、オペレーティングシステムの音声パラメータ（音量調整ボリュームの音量値）は一定である。アプリケーションソフトは、音声データと、音量調整係数とを掛けた値を、音声データのサンプリング時間毎に掛け算を行い（例えば通常のコンパクトディスク等であれば約２０μｓ毎、ＤＶＤオーディオ等であれば約５μｓ毎）、オペレーティングシステムに渡す。従来例１は、アプリケーションソフトに非常に大きな演算の負担を課すという問題があった。演算処理により、例えば低消費電力で比較的低い演算処理能力を有するＣＰＵを搭載した携帯端末において、アプリケーションソフトの動作が遅くなる恐れがあった。
【０００８】
従来例２のコンピュータは、オペレーティングシステムの音声パラメータを、そのアプリケーションソフトの音声パラメータに置き換える。これにより、各アプリケーションソフトは、その最適の音声パラメータで音声を出力する。オペレーティングシステムは、それ自体音声出力機能を有することが多い。従来例２においては、アプリケーションソフト終了時に、オペレーティングシステムは、直前に終了したアプリケーションソフトの音声パラメータの値で音声を出力する。アプリケーションソフトを終了する毎に、オペレーティングシステムが出力する音声のパラメータ値が変わる。従来例２においては、オペレーティングシステムが、その最適の値と異なる音声パラメータの値で動作するという問題があった。
本発明は、アプリケーションソフトに大きな演算の負担を課すことなく、各アプリケーション及びオペレーティングシステムが自動的に適切な音声パラメータの値で動作する音響再生装置、アプリケーションソフトの音声パラメータ管理方法及びそのプログラムを提供することを目的とする。
【０００９】
従来例１及び従来例２には、出力音声の音量値及びステレオの左右の出力バランスをアプリケーションソフト毎に登録することが開示されている。しかし、アプリケーションソフト毎に登録する音声パラメータとして、これらの音声パラメータだけでは不十分であった。例えばユーザがオフィスでコンピュータを使用する場合、多くのユーザは作業時間にミュートＯＮ（消音）にしてワードプロセッサのアプリケーションソフトを使用し、休み時間にミュートＯＦＦ（音声を出力する。）にしてゲームのアプリケーションソフトを使用する。従来例１及び２においては、ユーザはアプリケーションを切り換える毎に、ミュートＯＮ／ＯＦＦの設定をマニュアルで変更する必要があった。
【００１０】
また、一般的にユーザには、オペレーティングシステムでの動作時に発生する音（マウスのクリック音やエラー発生時の音など）を出したいときと、出したくないときがある。例えば、閑静な図書館での作業時や夜間は、ミュートＯＮにして消音するし、昼間の作業時には、ミュートＯＦＦにして音を出す。しかしながら、そのような状態でも、特定のアプリケーションだけは、ミュート状態を逆にしたい場合がある。例えば、夜間に使用していてミュートをＯＮにし、消音しているが、タイマで起動した目覚まし時計プログラムは音を出す必要がある。昼間でも、マウスのクリック音やエラー発生時の音は出したいが、映像ソフトを使用していて、画像だけチェックしたいときは、消音したいということもある。
【００１１】
本発明は、アプリケーションを切り換えると、アプリケーションソフト毎にユーザが調節した適切なミュートＯＮ／ＯＦＦの設定を自動的に行なう音響再生装置、アプリケーションソフトの音声パラメータ管理方法及びそのプログラムを提供することを目的とする。
本発明は、最小限の回数音声パラメータ設定機能を動作させることにより、各アプリケーションソフト及びオペレーティングシステムでの音声再生に最適な音声パラメータを設定し、管理する音響再生装置、アプリケーションソフトの音声パラメータ管理方法及びそのプログラムを提供することを目的とする。
【００１２】
【課題を解決するための手段】
上記課題を解決するため、本発明は以下の構成を有する。本発明の１つの観点によるアプリケーションソフトの音声パラメータ管理方法は、オペレーティングシステムのもとで使用する、音声パラメータ管理機能を有する音声の記録及び／又は再生アプリケーションソフトや音声パラメータ管理機能を有し音声データファイルを管理するアプリケーションソフトの音声パラメータ管理方法であって、音声パラメータは、音量値とミュートＯＮ／ＯＦＦ情報のうち、少なくとも一つのパラメータを含み、前記アプリケーションソフトの起動時に、前記起動時における前記オペレーティングシステムが設定している起動時音声パラメータを記憶し、前記起動時音声パラメータにかかわらず、前記アプリケーションソフトが前回動作を終了したときの終了時音声パラメータに従って音声データ再生機能を動作させ、前記アプリケーションソフトの終了時に、その時点の音声パラメータを前記アプリケーションソフトの前記終了時音声パラメータとして記憶すると共に、前記終了時音声パラメータから、前記アプリケーションソフトの起動時前に前記オペレーティングシステムに設定されていた前記起動時音声パラメータに設定を戻して、前記起動時音声パラメータに従って音声データ再生機能を動作させる。
【００１３】
本発明の別の観点によるアプリケーションソフトの音声パラメータ管理方法のプログラムは、音声パラメータ管理機能を有する音声の記録及び／又は再生アプリケーションソフトや音声パラメータ管理機能を有し音声データファイルを管理するアプリケーションソフトの音声パラメータ管理方法のプログラムであって、音声パラメータは、音量値とミュートＯＮ／ＯＦＦ情報のうち、少なくとも一つのパラメータを含み、このプログラムをロードして実行するオペレーティングシステムのもとで動作する装置は、前記アプリケーションソフトによる動作時にユーザが音声パラメータの設定を切り替えることに対応してオペレーティングシステムに設定される音声パラメータと連動して動作時音声パラメータを設定する動作時音声パラメータ設定部と、前記アプリケーションソフト起動時に前記オペレーティングシステムに設定されていた音声パラメータを記憶する起動時音声パラメータ記憶部と、前記アプリケーションソフトの終了時にその時点の前記アプリケーションソフトの動作時音声パラメータを記憶する終了時音声パラメータ記憶部と、を備えるように、機能する。
【００１４】
本発明の別の観点による音響再生装置は、上記のアプリケーションソフトである第１のアプリケーションソフトのプログラムをインストールしてその動作を実行するオペレーティングシステムを有する音響再生装置であって、前記オペレーティングシステムは、前記第１のアプリケーションソフトのプログラムをインストールするインストール部と、音声パラメータの変更に対応して音響再生出力の音声パラメータが設定される出力音声パラメータ設定部と、を備え、前記第１のアプリケーションソフトの起動時には、前記第１のアプリケーションソフトの前記起動時音声パラメータ記憶部に前記出力音声パラメータ設定部に設定している音声パラメータを保存すると共に、前記第１のアプリケーションソフトの前記終了時音声パラメータ記憶部に記憶している音声パラメータを読み取りその値を動作時音声パラメータ設定部に設定して起動し、前記第１のアプリケーションソフトの動作時は、前記第１のアプリケーションソフトの前記動作時音声パラメータ設定部の音声パラメータを前記出力音声パラメータ設定部の音声パラメータと連動させながら音声を再生し、前記第１のアプリケーションソフトの終了時には、前記動作時音声パラメータ設定部に設定されている音声パラメータを前記終了時音声パラメータ記憶部に保存すると共に、前記第１のアプリケーションソフトの前記起動時音声パラメータ記憶部に設定している音声パラメータを読み取り、その音声パラメータに、前記オペレーティングシステムの出力音声パラメータ設定部の音声パラメータを戻して保存する。
【００１５】
本発明は、ユーザが特別な音声パラメータの登録作業をすることなく、アプリケーションソフト毎に適切な音声パラメータの値を自動的に登録する音響再生装置、アプリケーションソフトの音声パラメータ管理方法及びそのプログラムを実現するという作用を有する。
本発明は、アプリケーションソフトに大きな演算の負担を課すことなく、各アプリケーション及びオペレーティングシステムが自動的に適切な音声パラメータの値で動作する音響再生装置、アプリケーションソフトの音声パラメータ管理方法及びそのプログラムを実現するという作用を有する。
【００１６】
ミュートＯＮ／ＯＦＦの自動設定機能を有する本発明は、アプリケーションを切り換えると、アプリケーションソフト毎に適切なミュートＯＮ／ＯＦＦの設定を自動的に行なう音響再生装置、アプリケーションソフトの音声パラメータ管理方法及びそのプログラムを実現するという作用を有する。
本発明は、最小限の回数音声パラメータ設定機能を動作させることにより、各アプリケーションソフト及びオペレーティングシステムでの音声再生に最適な音声パラメータを設定し、管理する音響再生装置、アプリケーションソフトの音声パラメータ管理方法及びそのプログラムを実現するという作用を有する。
【００１７】
本発明の他の観点による上記のアプリケーションソフトの音声パラメータ管理方法においては、前記音声パラメータが、音量左右バランス値を更に含む。
本発明の別の観点による上記のアプリケーションソフトの音声パラメータ管理方法のプログラムにおいては、前記音声パラメータが、音量左右バランス値を更に含む。
本発明の別の観点による上記の音響再生装置においては、前記音声パラメータが、音量左右バランス値を更に含む。
本発明は、ユーザが１又は複数のアプリケーションと、オペレーティングシステムとを切り換えた時に、自動的にアプリケーション又はオペレーティングシステムに適した音量左右バランス値を設定するアプリケーションソフトの音声パラメータ管理方法、そのプログラム及び音響再生装置を実現する。
【００１８】
本発明の別の観点による上記のアプリケーションソフトの音声パラメータ管理方法は、前記終了時音声パラメータ及び／又は起動時音声パラメータとして複数世代分の音声パラメータを記憶し、前記アプリケーションソフトの起動時及び／又は終了時にユーザが一つの音声パラメータを選択する。
本発明の別の観点による上記の音響再生装置は、前記第１のアプリケーションソフトは、前記終了時音声パラメータ記憶部及び／又は起動時音声パラメータ記憶部に複数世代分の音声パラメータを記憶し、前記第１のアプリケーションソフトの起動時及び／又は終了時にユーザが一つの音声パラメータを選択するように構成する。
【００１９】
本発明は、複数世代分の音声パラメータをユーザに提示し、ユーザが１又は複数のアプリケーションと、オペレーティングシステムとを切り換えた時に、自動的にユーザが選択したアプリケーション又はオペレーティングシステムに適した音声パラメータを設定するアプリケーションソフトの音声パラメータ管理方法（そのプログラム）及び音響再生装置を実現する。複数世代分の音声パラメータとは、例えばユーザがそのアプリケーションを複数回使用して、使用を終了した時のそれぞれの音声パラメータの値である。
【００２０】
本発明の別の観点による上記のアプリケーションソフトの音声パラメータ管理方法は、前記アプリケーションソフト起動時に、ユーザが選択した前記終了時音声パラメータ及び予め設定されたデフォルト音声パラメータのいずれか一つに従って前記音声データ再生機能を動作させる。
本発明は、アプリケーションを起動した時に、自動的にユーザが選択した適切な音声パラメータを設定するアプリケーションソフトの音声パラメータ管理方法（そのプログラム及び音響再生装置）を実現する。
【００２１】
本発明の別の観点による上記のアプリケーションソフトの音声パラメータ管理方法は、前記アプリケーションソフト終了時に、ユーザが選択した前記起動時音声パラメータ及び予め設定されたデフォルト音声パラメータのいずれか一つに従って前記音声データ再生機能を動作させる。
本発明は、アプリケーションを終了した時に、自動的にユーザが選択した適切な音声パラメータを設定し、その音声パラメータの値でオペレーティングシステムが動作するアプリケーションソフトの音声パラメータ管理方法（そのプログラム及び音響再生装置）を実現する。
【００２２】
本発明の別の観点による上記の音響再生装置は、前記第１のアプリケーションソフトと、前記終了時音声パラメータ記憶部と前記起動時音声パラメータ記憶部とを有しないアプリケーションソフトである第２のアプリケーションソフトのプログラムと、をインストールしてその動作を選択的に実行するオペレーティングシステムを有する音響再生装置であって、前記インストール部は、前記第１及び第２のアプリケーションソフトのプログラムをインストールし、前記第２のアプリケーションソフトの起動時及び動作時には、前記第２のアプリケーションソフトの音声パラメータは、前記オペレーティングシステムの出力音声パラメータ設定部の音声パラメータに連動し、前記第２のアプリケーションソフトの終了時には、前記動作時音声パラメータ設定部に設定されている音声パラメータを保持するように構成する。
本発明は、異なる動作を行なうアプリケーションを矛盾無く動作させる音響再生装置（並びにアプリケーションソフトの音声パラメータ管理方法、そのプログラム）を実現する。
【００２３】
本発明の別の観点による上記のアプリケーションソフトの音声パラメータ管理方法のプログラムは、前記終了時音声パラメータ記憶部及び／又は起動時音声パラメータ記憶部に、前記ユーザが選択可能な複数のデフォルト音声パラメータを更に記憶する。
本発明の別の観点による上記の音響再生装置は、前記第１のアプリケーションソフトは、前記終了時音声パラメータ記憶部及び／又は起動時音声パラメータ記憶部に複数の音声パラメータを記憶し、前記第１のアプリケーションソフトの起動時及び／又は終了時にユーザが一つの音声パラメータを選択するように構成する。
本発明は、アプリケーションを起動又は終了した時に、自動的にユーザが選択した適切な音声パラメータを設定し、その音声パラメータの値でオペレーティングシステムが動作するアプリケーションソフトの音声パラメータ管理方法のプログラム及び音響再生装置を実現する。
【００２４】
本発明の別の観点による上記の音響再生装置は、複数の前記第１のアプリケーションソフトのプログラムをインストールしており、前記第１のアプリケーションソフトが、それぞれ別個の前記終了時音声パラメータ記憶部を有する。
本発明の別の観点による上記の音響再生装置は、前記第１のアプリケーションソフトが、それぞれ別個の前記起動時音声パラメータ記憶部を有する。
本発明は、アプリケーション毎に最適の音声パラメータを記憶する音響再生装置を実現する。
【００２５】
【発明の実施の形態】
以下、本発明の実施をするための最良の形態を具体的に示した実施の形態について、図面とともに記載する。
【００２６】
《実施の形態》
図１〜図８を用いて、本発明の実施の形態の音響再生装置、アプリケーションソフトの音声パラメータ管理方法及びそのプログラムを説明する。
図１は、本発明の実施の形態の、音響再生装置としてのパーソナルコンピュータ（以下、「ＰＣ」と略す。）の構成を示すブロック図である。特に、パーソナルコンピュータ３の音声パラメータ管理部分を示す。ＰＣ３は、オペレーティングシステム２を有しており、左のスピーカ１３Ｌ及び右のスピーカ１３Ｒと接続している。オペレーティングシステム２上では、インストール部１６、出力音声パラメータ設定部８及びアプリケーションソフト群１に含まれる第１のアプリケーションソフト１ａと第２のアプリケーションソフト１ｂとが動作する。以下、アプリケーションソフト１ａとアプリケーションソフト１ｂとを区別しない場合は、「アプリケーションソフト」と言う。
【００２７】
出力音声パラメータ設定部８は、出力音声パラメータ記憶部１５を有する。出力音声パラメータ記憶部１５は、左のスピーカ１３Ｌ及び右のスピーカ１３Ｒに音声データを出力する際に使用する音声パラメータである、出力音声パラメータ１５９を記憶している。出力音声パラメータ１５９は、音量値１５１、ミュートＯＮ／ＯＦＦ情報１５２及び音量左右バランス値１５３を含む。本実施の形態では、音量値１５１は０〜５の６段階の値である。ＰＣ３は音声データと各段階の音量値１５１（例えば１より小さな値、１又は１より大きな値である。０の段階であれば音量値１５１は０であって、ＰＣ３は音声データを出力しない。）とを掛けた結果である音声データを出力する。以下、説明を簡素化するため、段階０〜５の値をそのまま音量値１５１として説明する。
【００２８】
音量左右バランス値１５３は左のスピーカ１３Ｌ及び右のスピーカ１３Ｒの音量バランスを表す。本実施の形態では、音量左右バランス値１５３が１のとき、右のスピーカ１３Ｒの音量がゼロであり（左のスピーカ１３Ｌのみが音を出力する。）、０．５のときに左右の音量値が等しく、０のとき左のスピーカ１３Ｌの音量がゼロである（右のスピーカ１３Ｒのみが音を出力する。）。ミュートＯＮ／ＯＦＦ情報１５２が“ＯＦＦ”の場合、出力音声パラメータ設定部８は、入力した音声データを、出力音声パラメータ記憶部１５に記憶されている音量値１５１及び音量左右バランス値１５３に基づいた音声データに変換し、Ｄ／Ａ変換器（図示しない）に転送する。スピーカ駆動部（図示しない）が、Ｄ／Ａ変換器が出力したアナログ音声データを入力し、左のスピーカ１３Ｌ及び右のスピーカ１３Ｒに音声を出力する。ミュートＯＮ／ＯＦＦ情報１５２が“ＯＮ”のとき（消音）は、ミュート機能が動作し、出力音声パラメータ設定部８は音声データを出力しない。
【００２９】
インストール部１６は、アプリケーションソフトをインストールするためのソフトを起動し、ＰＣ３にアプリケーションソフトをインストールする。アプリケーションソフトは、ＣＤ等の、ＰＣ３で読み取り可能な記録媒体に記録されているか、又は、インターネット上で配布されている。インストール部１６は、自動的に起動し又は、ユーザが対話形式で起動させて、アプリケーションソフトをＰＣ３にインストールする。
【００３０】
各アプリケーションソフト１ａ及び各アプリケーションソフト１ｂは、それぞれ音声パラメータ管理機能を有する。各アプリケーションソフトと別個独立のアプリケーションソフトが、各アプリケーションの動作を監視し（例えば各アプリケーションとオペレーティングシステムとの間の伝達データを監視し）、各アプリケーションソフト１ａ毎の音声パラメータ管理機能を制御しても良い（例えば各アプリケーションソフト１ａ毎の動作時音声パラメータ設定部４、起動時音声パラメータ記憶部５及び終了時音声パラメータ記憶部６、各アプリケーションソフト１ｂ毎の動作時音声パラメータ設定部７を設定する。）。
音声パラメータは、音量値、ミュートＯＮ／ＯＦＦ情報及び音量左右バランス値を含む、スピーカ１３Ｌ及びスピーカ１３Ｒからの出力音声を制御するためのパラメータである。アプリケーションソフト１ａは、動作時音声パラメータ設定部４、起動時音声パラメータ記憶部５及び終了時音声パラメータ記憶部６によって、音声パラメータを管理する。アプリケーションソフト１ｂは、動作時音声パラメータ設定部７によって出力音声の音声パラメータを管理する。図１において、Ｒ１、Ｒ２、Ａｓ、Ａｆ、Ｂｓ及びＢｆは音声パラメータを表す。
【００３１】
第１のアプリケーションソフト１ａは（第１のアプリケーションソフト１ａが複数ある場合は第１のアプリケーションソフト１ａ毎に）、動作時音声パラメータ設定部４、起動時音声パラメータ記憶部５及び終了時音声パラメータ記憶部６、各アプリケーションソフト１ｂ毎の動作時音声パラメータ設定部７を設ける。動作時音声パラメータ設定部４には、第１のアプリケーションソフト１ａの動作中の動作時音声パラメータ４９（音量値４１、ミュートＯＮ／ＯＦＦ情報４２及び音量左右バランス値４３）が設定されている。第１のアプリケーションソフト１ａの動作中は、動作時音声パラメータ４９と、オペレーティングシステム２の出力音声パラメータ１５９は連動する（両者は同一の値である。）（音声パラメータＲ１）。起動時音声パラメータ記憶部５は、第１のアプリケーションソフト１ａの起動時にオペレーティングシステム２の出力音声パラメータ記憶部１５に記憶されていた出力音声パラメータ１５９を、起動時音声パラメータ５９（音量値５１、ミュートＯＮ／ＯＦＦ情報５２及び音量左右バランス値５３）として記憶する（音声パラメータＢｆ）。第１のアプリケーションソフト１ａの終了時に起動時音声パラメータ５９を出力音声パラメータ記憶部１５に転送する（音声パラメータＢｓ）。終了時音声パラメータ記憶部６は、第１のアプリケーションソフト１ａ終了時に動作時音声パラメータ設定部４に記憶されていた音声パラメータを、終了時音声パラメータ６９（音量値６１、ミュートＯＮ／ＯＦＦ情報６２及び音量左右バランス値６３）として保存する（音声パラメータＡｆ）。第１のアプリケーションソフト１ａ起動時に、終了時音声パラメータ６９を動作時音声パラメータ設定部４に転送する（音声パラメータＡｓ）。第１のアプリケーションソフト１ａでの音声パラメータ管理方法は、後で詳細に説明する。
【００３２】
第２のアプリケーションソフト１ｂは（第２のアプリケーションソフト１ｂが複数ある場合は、第２のアプリケーションソフト１ｂ毎に）、動作時音声パラメータ設定部７を設ける。動作時音声パラメータ設定部７には、動作時音声パラメータ７９（音量値７１、ミュートＯＮ／ＯＦＦ情報７２及び音量左右バランス値７３）が設定されている。第２のアプリケーションソフト１ｂの起動時、動作中及び終了時に、動作時音声パラメータ７９と出力音声パラメータ１５９は連動する（両者は同一の値である。）（音声パラメータＲ２）。
【００３３】
図４は、本発明の実施の形態の、音声パラメータ設定画面の一例を示す図である。オペレーティングシステム２上で、又は第１のアプリケーションソフト１ａ又は第２のアプリケーションソフト１ｂ動作中に出力音声パラメータ１５９を変更する場合、ＰＣ３に接続されているモニタ（図示しない）に、音声パラメータ設定画面４００が表示される。音声パラメータ設定画面４００には、音量値を設定するための音量値設定ボタン４０３、音量左右バランス値を設定するための音量左右バランス値設定ボタン４０１及びミュートＯＮ／ＯＦＦ機能を動作させるか否かを設定するためのミュートＯＮ／ＯＦＦ設定チェックボックス４０２が描かれている。ユーザはマウス又はキーボードを使用し、音量値設定ボタン４０３及び音量左右バランス値設定ボタン４０１を動かすことができる。各ボタンの表示位置に応じた音声パラメータの音声がスピーカ１３Ｌ及びスピーカ１３Ｒから出力される。ユーザが、ミュートＯＮ／ＯＦＦ設定チェックボックス４０２にチェックを入れると、音声は出力されない。
【００３４】
図２は、本発明の実施の形態の、音響再生装置としてのＰＣ３と音声及び音楽データとの関係を示す図である。ＰＣ３のオペレーティングシステム２はハードしスクなどの音声データ用記憶部１０を有する。アプリケーションソフト群１は、音声パラメータ管理機能を有するアプリケーションソフト１−１〜アプリケーションソフト１−ｎを含む。これらのアプリケーションソフトは、動作時音声パラメータ設定部４、起動時音声パラメータ記憶部５及び終了時音声パラメータ記憶部６を有する第１のアプリケーションソフト１ａ又は、動作時音声パラメータ設定部４、起動時音声パラメータ記憶部５を有さず動作時音声パラメータ設定部７を有する第２のアプリケーションソフト１ｂのどちらかに該当する。なお、アプリケーションソフト群１は少なくとも一つの第１のアプリケーションソフト１ａを含む。
【００３５】
音声のデータを含む、動画ファイル、音楽ファイル、ゲームのプログラム等のデータは、ＣＤ−ＲＯＭプレーヤ１１ａ、外部記憶装置１１ｂ、ＩＣレコーダ１１ｃ、リムーバブルメディア１１ｄ又はインターネット１２等の記憶装置から様々なインターフェイスを介し、音声データ用記憶部１０に蓄えられる。ユーザは、アプリケーションソフト群１の中から、記憶装置や音声データの形式に対応するアプリケーションソフトを適宜選択して起動し、音声データ用記憶部１０に蓄えられた音声データを再生する。ユーザは、前述のように音声出力のための音声パラメータを変更できる。
【００３６】
次に、図３のフローチャート及び図１を用いて第１のアプリケーションソフトの音声パラメータ管理方法を説明する。
【００３７】
始めにオペレーティングシステム２は、終了時音声パラメータ記憶部６に音声パラメータの初期値を設定する（Ｓ３０１）。音声パラメータの初期値は、第１のアプリケーションソフト１ａが予め設定している値である。Ｓ３０２で、第１のアプリケーションソフト１ａを起動する。Ｓ３０３で、オペレーティングシステム２の出力音声パラメータ１５９を、起動時音声パラメータ記憶部５に起動時音声パラメータ５９として保存する（音声パラメータＢｆ）。Ｓ３０４で、終了時音声パラメータ記憶部６に保存されている終了時音声パラメータ６９を、動作時音声パラメータ設定部４に動作時音声パラメータ４９として設定する（音声パラメータＡｓ）。音声データの再生を行う。
【００３８】
第１のアプリケーションソフト１ａの動作中（Ｓ３０５）に、ユーザは必要に応じて動作時音声パラメータ４９を変更できる。ユーザは、音量値４１、ミュートＯＮ／ＯＦＦ情報４２及び音量左右バランス値４３のうち、任意の音声パラメータを変更できる。動作時音声パラメータ４９と出力音声パラメータ１５９は連動する（音声パラメータＲ１）。
【００３９】
Ｓ３０６で、第１のアプリケーションソフト１ａを終了指令を行う。Ｓ３０７で、動作時音声パラメータ設定部４に設定されている動作時音声パラメータ４９を終了時音声パラメータ記憶部６に保存する（音声パラメータＡｆ）。Ｓ３０８で、オペレーティングシステム２の出力音声パラメータ１５９を起動時音声パラメータ５９に置き換える（音声パラメータＢｓ）。第１のアプリケーションソフト１ａの動作を終了する。第１のアプリケーションソフト１ａ動作時に設定していた動作時音声パラメータ４９にかかわらず、第１のアプリケーションソフト１ａを起動する前の起動時音声パラメータ５９と同じ値の音声パラメータを使用して音声データが再生される。
【００４０】
再び第１のアプリケーションソフト１ａを起動すると、Ｓ３０２に戻る。第１のアプリケーションソフト１ａを起動する前の出力音声パラメータ１５９の値にかかわらず、前回第１のアプリケーションソフト１ａを終了したときの終了時音声パラメータ６９と同じ音声パラメータを使用して音声データが再生される。
【００４１】
次に、図５〜図８に、アプリケーションソフトの起動及び終了に伴う音声パラメータの遷移の例を示す。
図５は、アプリケーションソフトの起動及び終了に伴う音量値の遷移の一例を示す図である。
状態Ｓ１は、第１のアプリケーションソフト１ａを起動する前の状態である。終了時音声パラメータ記憶部６の音量値６１の値は、“初期値３”である。本実施の形態では、音量値の初期値を、音量値のとりうる幅（０〜５）の中央値とする。オペレーティングシステム２の出力音声パラメータ記憶部１５は、音量値１５１“４”を記憶しているとする。
【００４２】
状態Ｓ２で、第１のアプリケーションソフト１ａを起動する。動作時音声パラメータ設定部４は、終了時音声パラメータ記憶部６に保存されていた音量値６１“３”を取得し、音声データを再生する。同時に、起動時音声パラメータ記憶部５は、状態Ｓ１でのオペレーティングシステム２の音量値１５１“４”を保存する。状態Ｓ３で、第１のアプリケーションソフト１ａの動作中に、音量値４１を“５”に上げる。状態Ｓ４で、第１のアプリケーションソフト１ａを終了する。オペレーティングシステム２の音量値１５１は、状態Ｓ２で起動時音声パラメータ記憶部５に保存した音量値５１“４”になる。第１のアプリケーションソフト１ａの終了時の動作時音声パラメータ設定部４の音量値４１“５”を終了時音声パラメータ記憶部６に保存する。
【００４３】
状態Ｓ５で、第２のアプリケーションソフト１ｂを起動する。第２のアプリケーションソフト１ｂは、起動時音声パラメータ記憶部及び終了時音声パラメータ記憶部を有しない。従って、状態Ｓ５での音量値７１は、オペレーティングシステム２の出力音声パラメータの音量値１５１“４”となる。状態Ｓ６で、第２のアプリケーションソフト１ｂの動作中に、音量値７１を“１”に下げる。状態Ｓ７で、第２のアプリケーションソフト１ｂを終了すると、オペレーティングシステム２の音量値１５１は、“１”のままで保持される。
【００４４】
状態Ｓ８で、第１のアプリケーションソフト１ａを再び起動する。状態Ｓ４（すなわち、前回第１のアプリケーションソフト１ａを終了したとき）で終了時音声パラメータ記憶部６に記憶した音量値６１“５”を使用して、音声データが再生される。同時に、起動時音声パラメータ記憶部５は、状態Ｓ７でのオペレーティングシステム２の音量値１５１“１”を保存する。
【００４５】
状態Ｓ９で、第１のアプリケーションソフト１ａの動作時に音量値４１を“４”に下げる。状態Ｓ１０で、第１のアプリケーションソフト１ａを終了する。オペレーティングシステム２の音量値１５１は、状態Ｓ８で起動時音声パラメータ記憶部５に保存した音量値５１“１”になる。第１のアプリケーションソフト１ａの終了時の動作時音声データ設定部４の音量値４１“４”を終了時音声パラメータ記憶部６に保存する。
【００４６】
実施の形態を一部変更した他の音響再生装置、アプリケーションソフトの音声パラメータ管理方法及びそのプログラムの動作を説明する。図６は、他の音響再生装置及びアプリケーションソフトの音声パラメータ管理方法における、アプリケーションソフトの起動及び終了に伴う音量値の遷移の一例を示す図である。図６は、図５における状態Ｓ１〜Ｓ１０に対応する、状態Ｓ１ａ〜Ｓ１０ａの音量値の遷移を示す。他の音響再生装置及びアプリケーションソフトの音声パラメータ管理方法においては、終了時音声パラメータ記憶部６と起動時音声パラメータ記憶部５とに、最新の音量値だけではなく、アプリケーションソフト１ａを複数回起動及び終了したときの各世代の音量値をも記憶する構成とした。以下、図６の図５と異なる部分について説明する。
【００４７】
状態Ｓ８ａで、起動時音声パラメータ記憶部５に状態Ｓ２ａで保存した音量値５１“４”に、状態Ｓ７ａの音量値１５１“１”を追加し、保存する。つまり、２世代分の音量値を保存する。状態Ｓ９ａで、第１のアプリケーションソフト１ａの動作時に音量値４１を“４”に下げる。状態Ｓ１０ａで、第１のアプリケーションソフト１ａを終了する。この時、第１のアプリケーションソフト１ａは、オペレーティングシステム２の音量値１５１として、起動時音声パラメータ記憶部５に保存されている音量値“４”と“１”のいずれか一方を選択することをユーザに要求する画面をディスプレイに表示する。ユーザは、オペレーティングシステム２の音量値１５１として、起動時音声パラメータ記憶部５に保存されている音量値“４”と“１”とから一つ（図６では、“１”）を選択する。
【００４８】
第１のアプリケーションソフト１ａの終了時の動作時音声データ設定部４の音量値４１“４”を終了時音声パラメータ記憶部６に保存する。このとき、状態Ｓ４ａで終了時音声パラメータ記憶部６に保存した音量値６１“５”も併せて保存する。次に第１のアプリケーションソフト１ａを起動する時、第１のアプリケーションソフト１ａは、オペレーティングシステム２の音量値１５１として、終了時音声パラメータ記憶部６に保存されている音量値“５”と“４”のいずれか一方を選択することをユーザに要求する画面をディスプレイに表示する。ユーザは、オペレーティングシステム２の音量値１５１として、終了時音声パラメータ記憶部６に保存されている音量値“５”と“４”とから一つを選択する。
【００４９】
図６に示す例では、起動時音声パラメータ記憶部５と、終了時音声パラメータ記憶部６とに複数の音量値を保存し、ユーザが選択できるようにした。ユーザは、以前に選択した音量値の中から、好みの音量値を選択できる。起動時音声パラメータ記憶部５と、終了時音声パラメータ記憶部６とに保存する音量値が、第１のアプリケーションソフト１ａの起動及び終了を繰り返す度に増加しないように、保存する音量値の個数の上限を決めておくと、ユーザにとってより実用的である。例えば、保存する音量値の個数を最新の３個としてもよい。
【００５０】
実施の形態を一部変更した別の音響再生装置、アプリケーションソフトの音声パラメータ管理方法及びそのプログラムの動作を説明する。図７は、別の音響再生装置及びアプリケーションソフトの音声パラメータ管理方法における、アプリケーションソフトの起動及び終了に伴う音量値の遷移の一例を示す図である。図７は、図５における状態Ｓ１〜Ｓ１０に対応する、状態Ｓ１ｂ〜Ｓ１０ｂの音量値の遷移を示す。ただし、出力音声の音量値として予め複数のデフォルト音量値を、第１のアプリケーションソフト１ａに設定する構成とした。ユーザは、第１のアプリケーションソフト１ａを起動するときに、終了時音声パラメータ記憶部６に保存されている音量値６１と、デフォルト音量値とから一つの音量値を選択できる。第１のアプリケーションソフト１ａ終了時に、オペレーティングシステム２の音量値として、起動時音声パラメータ記憶部５に保存されている音量値５１と、デフォルト音量値とから一つの音量値を選択できる。以下、図７の図５と異なる部分について説明する。
【００５１】
図７では、デフォルト音量値として、“大（音量値５）”、“中（音量値３）”及び“小（音量値１）”の３つを設定する。状態Ｓ２ｂで、第１のアプリケーションソフト１ａを起動する際、第１のアプリケーションソフト１ａは、オペレーティングシステム２の音量値１５１として、終了時音声パラメータ記憶部６に保存されている音量値６１“３”及びデフォルト音量値（大・中・小）の中から１つの値を選択することをユーザに要求する画面をディスプレイに表示する。ユーザは、オペレーティングシステム２の音量値１５１として、終了時音声パラメータ記憶部６に保存されている音量値“３”を選択する。
【００５２】
状態Ｓ４ｂで、第１のアプリケーションソフト１ａを終了するときに、第１のアプリケーションソフト１ａは、オペレーティングシステム２の音量値１５１として、起動時音声パラメータ記憶部５に保存されている音量値５１“４”及びデフォルト音量値（大・中・小）の中から１つの値を選択することをユーザに要求する画面をディスプレイに表示する。ユーザは、オペレーティングシステム２の音量値１５１として、起動時音声パラメータ記憶部５に保存されている音量値“４”を選択する。
【００５３】
状態Ｓ８ｂで、第１のアプリケーションソフト１ａを再び起動する際、同様の手順により、ユーザは、終了時音声パラメータ記憶部６に保存されていたる音量値６１“５”とデフォルト音量値（大・中・小）とから、音量値“５”を選択する。状態Ｓ１０ｂで、第１のアプリケーションソフト１ａを終了するときに、ユーザは、同様の手順により、起動時音声パラメータ記憶部５に保存されている音量値５１“１”とデフォルト音量値（大・中・小）とから、音量値“１”を選択する。
【００５４】
図７に示す例では、ユーザは、第１のアプリケーションソフト１ａ起動時及び終了時に、前に設定していた音量値とデフォルト音量値とを確認し、一つの音量値を選択できる。
アプリケーションを起動し、終了することにより、音量左右バランスの値は、音量値（図５〜７）と同様に遷移する。
【００５５】
図８は、本発明の実施の形態の、アプリケーションソフトの起動及び終了に伴うミュートＯＮ／ＯＦＦ情報の遷移の一例を示す図である。
【００５６】
状態Ｓ８０１は、第１のアプリケーションソフト１ａを起動する前の状態である。終了時音声パラメータ記憶部６は、ミュートＯＮ／ＯＦＦ情報６２の初期値“ＯＦＦ”を記憶している。オペレーティングシステム２のミュートＯＮ／ＯＦＦ情報１５２は“ＯＦＦ”であるとする。
【００５７】
状態Ｓ８０２で、第１のアプリケーションソフト１ａを起動する。動作時音声パラメータ設定部４は、終了時音声パラメータ記憶部６に保存されていたミュートＯＮ／ＯＦＦ情報６２の値“ＯＦＦ”を取得し、音声データを再生する。同時に、起動時音声パラメータ記憶部５は、状態Ｓ８０１でのオペレーティングシステム２のミュートＯＮ／ＯＦＦ情報１５２の値“ＯＦＦ”を保存する。状態Ｓ８０３で、第１のアプリケーションソフト１ａからの音声出力をミュート（ミュートＯＮ）する。状態Ｓ８０４で第１のアプリケーションソフト１ａを終了する。オペレーティングシステム２のミュートＯＮ／ＯＦＦ情報１５２は、状態Ｓ８０２で起動時音声パラメータ記憶部５に保存したミュートＯＮ／ＯＦＦ情報５２の値“ＯＦＦ”になる。従って、スピーカ１３Ｌ及びスピーカ１３Ｒに音声が出力される。動作時音声パラメータ設定部４に設定されているミュートＯＮ／ＯＦＦ情報４２の値“ＯＮ”を終了時音声パラメータ記憶部６に保存する。
【００５８】
状態Ｓ８０５で、第１のアプリケーションソフト１ａを再び起動する。動作時音声パラメータ設定部４は、終了時音声パラメータ記憶部６に保存されていたミュートＯＮ／ＯＦＦ情報６２の値“ＯＮ”を取得する。従って、スピーカ１３Ｌ及びスピーカ１３Ｒに音声が出力されない。同時に、起動時音声パラメータ記憶部５は、状態Ｓ８０４のオペレーティングシステム２のミュートＯＮ／ＯＦＦ情報１５２の値“ＯＦＦ”を保存する。
【００５９】
状態Ｓ８０６で、第１のアプリケーションソフト１ａの動作中に、ミュートを“ＯＦＦ”にする。状態８０７で第１のアプリケーションソフト１ａを終了する。オペレーティングシステム２のミュートＯＮ／ＯＦＦ情報１５２は、状態Ｓ８０５で起動時音声パラメータ記憶部５に保存したミュートＯＮ／ＯＦＦ情報５２の値“ＯＦＦ”のままである。動作時音声パラメータ設定部４のミュートＯＮ／ＯＦＦ情報４２の値“ＯＦＦ”を、終了時音声パラメータ記憶部６に保存する。
【００６０】
状態Ｓ８０８で、第２のアプリケーションソフト１ｂを起動する。第２のアプリケーションソフト１ｂは、起動時音声パラメータ記憶部及び終了時音声パラメータ記憶部を有しない。従って、状態Ｓ８０８でのミュートＯＮ／ＯＦＦ情報７２は、状態８０７でのオペレーティングシステム２のミュートＯＮ／ＯＦＦ情報１５２の値“ＯＦＦ”となる。状態８０９で、第２のアプリケーションソフト１ｂの出力音声をミュートする。状態８１０で第２のアプリケーションソフト１ｂを終了する。オペレーティングシステム２のミュートＯＮ／ＯＦＦ情報１５２は“ＯＮ”のままである。
【００６１】
図８に示す例では、ユーザは、オペレーティングシステムでミュートＯＮ（消音）の状態に設定し、かつ特定のアプリケーション動作時のみミュートＯＦＦ（音声を出力する）の状態に設定できる。
【００６２】
なお、第１のアプリケーション１ａ起動時に、ユーザが終了時音声パラメータ記憶部６に保存されているミュートＯＮ／ＯＦＦ情報６２と予め設定されたデフォルトミュートＯＮ／ＯＦＦ情報とから一つを選択し、選択されたミュートＯＮ／ＯＦＦ情報に従ってミュートＯＮ／ＯＦＦ機能を動作させてもよい。
第１のアプリケーション１ａ終了時に、ユーザが起動時音声パラメータ記憶部５に保存されているミュートＯＮ／ＯＦＦ情報５２及び予め設定されたデフォルトミュートＯＮ／ＯＦＦ情報から一つを選択し、ミュートＯＮ／ＯＦＦ機能を動作させてもよい。
【００６３】
図５〜図８では、音量値及びミュートＯＮ／ＯＦＦ情報のいずれかの音声パラメータの遷移の例を示した。音量値、ミュートＯＮ／ＯＦＦ情報及び音量左右バランス値の３つの音声パラメータのうち、２つ以上の音声パラメータが遷移する構成としてもよい。また、最小の音量値（上記実施の形態では０）をミュートＯＮ、最大の音量値（上記実施の形態では５）をミュートＯＦＦと同値に扱うといった、音声パラメータの相互連動機能を有する構成としても良い。
【００６４】
実施の形態では、ＰＣ３に１つの第１のアプリケーションソフト１ａ及び１つの第２のアプリケーションソフト１ｂをインストールしていたが、複数の第１のアプリケーションソフト１ａをインストールしたＰＣ３であっても良い。複数の第１のアプリケーションソフト１ａを同時に起動しても良い。それぞれの第１のアプリケーションソフト１ａが、別個独立又は共通の起動時音声パラメータ記憶部５を有する。
【００６５】
上記の方法を実行するプログラムを、例えばＰＣ、オーディオ装置、ホームオーディオビジュアルシステム装置、ネットワークを利用した音響再生装置等に読み込み実行させることにより、これらの装置を音響再生装置として機能させることができる。
【００６６】
【発明の効果】
本発明によれば、ユーザが特別な音声パラメータの登録作業をすることなく、アプリケーションソフト毎に適切な音声パラメータの値を自動的に登録する音響再生装置、アプリケーションソフトの音声パラメータ管理方法及びそのプログラムを実現できるという有利な効果が得られる。
本発明によれば、アプリケーションソフトに大きな演算の負担を課すことなく、各アプリケーション及びオペレーティングシステムが自動的に適切な音声パラメータの値で動作する音響再生装置、アプリケーションソフトの音声パラメータ管理方法及びそのプログラムを実現できるという有利な効果が得られる。
【００６７】
本発明によれば、アプリケーションを切り換えると、アプリケーションソフト毎に適切なミュートＯＮ／ＯＦＦの設定を自動的に行なう音響再生装置、アプリケーションソフトの音声パラメータ管理方法及びそのプログラムを実現できるという有利な効果が得られる。
本発明によれば、最小限の回数音声パラメータ設定機能を動作させることにより、各アプリケーションソフト及びオペレーティングシステムでの音声再生に最適な音声パラメータを設定し、管理する音響再生装置、アプリケーションソフトの音声パラメータ管理方法及びそのプログラムを実現できるという有利な効果が得られる。
【図面の簡単な説明】
【図１】本発明の実施の形態の、音響再生装置としてのパーソナルコンピュータの構成を示すブロック図
【図２】本発明の実施の形態の、音響再生装置としてのパーソナルコンピュータと音声及び音楽データとの関係を示す図
【図３】本発明の実施の形態の、第１のアプリケーションソフトの音声パラメータ管理方法を示すフローチャート
【図４】本発明の実施の形態の、音声パラメータ設定画面の一例を示す図
【図５】本発明の実施の形態の、アプリケーションソフトの起動及び終了に伴う音量値の遷移の一例を示す図
【図６】本発明の他の実施の形態の、アプリケーションソフトの起動及び終了に伴う音量値の遷移の一例を示す図
【図７】本発明の別の実施の形態の、アプリケーションソフトの起動及び終了に伴う音量値の遷移の一例を示す図
【図８】本発明の実施の形態の、アプリケーションソフトの起動及び終了に伴うミュートＯＮ／ＯＦＦ情報の遷移の一例を示す図
【符号の説明】
１              アプリケーションソフト群
１ａ            第１のアプリケーションソフト
１ｂ            第２のアプリケーションソフト
２              オペレーティングシステム
３              パーソナルコンピュータ
４、７          動作時音声パラメータ設定部
５              起動時音声パラメータ記憶部
６              終了時音声パラメータ記憶部
８              出力音声パラメータ設定部
１３Ｌ、１３Ｒ  スピーカ
１５            出力音声パラメータ記憶部
１６            インストール部
４９、７９      動作時音声パラメータ
５９            起動時音声パラメータ
６９            終了時音声パラメータ
１５９          出力音声パラメータ
４１、５１、６１、７１、１５１  音量値
４２、５２、６２、７２、１５２  ミュートＯＮ／ＯＦＦ情報
４３、５３、６３、７３、１５３  音量左右バランス値
【図１】
2004287474.tif 000003
【図２】
2004287474.tif 000004
【図３】
2004287474.tif 000005
【図４】
2004287474.tif 000006
【図５】
2004287474.tif 000007
【図６】
2004287474.tif 000008
【図７】
2004287474.tif 000009
【図８】
2004287474.tif 000010